(57)【特許請求の範囲】
【請求項１】
ファンデーション等の衣類において、袋状に形成されたテープ状部材１１の一部を、幅方向の中央部に設けられた分離部１３によって、長手方向に沿って所定の長さにわたり二股状に分離して、当該テープ状部材１１の一部に断面略Ｖ字形状に形成された二股部１４を設け、このテープ状部材１１の互いに分離された前記断面略Ｖ字形状の二股部１４によって、それぞれ衣類２、３の端縁を挟んだ状態で取り付けるように構成したことを特徴とするファンデーション等の衣類。
【発明の詳細な説明】
【０００１】
【発明の属する技術分野】
この発明は、ブラジャー、ガードル、パンティなどのファンデーションやランジェリー等の衣類に関し、特に当該衣類の縁部に二股テープを使用したファンデーション等の衣類に関するのである。
【０００２】
【従来の技術】
従来、この種のファンデーション等の衣類としては、例えば、ブラジャーやパンティ等のように、ブラジャーのカップ部やパンティの本体を縫製した後に、ブラジャーの上縁部やパンティの裾口部等に、伸縮性を有するゴムテープ等を縫着することにより、これらブラジャーやパンティ等の縁部の伸縮性を高めたり、縁部の仕上げ処理を施すように構成したものがある。
【０００３】
また、上記ファンデーション等の衣類としては、ブラジャーやボディスーツ、あるいはランジェリー等のように、ブラジャー等の衣類の両肩の部分に、細い帯状の布片からなるショルダーコードを縫着し、これらの衣類を着用する際に、ショルダーコードを肩に掛けるように構成されたものがある。
【０００４】
【発明が解決しようとする課題】
しかしながら、上記従来技術の場合には、次のような問題点を有している。すなわち、上記従来のファンデーション等の衣類の場合には、ブラジャーのカップ部やパンティの本体を縫製した後に、ブラジャーの上縁部やパンティの裾口部等に、伸縮性を有するゴムテープ等を縫着したり、ブラジャーやボディスーツ等の衣類の両肩の部分に、細い帯状の布片からなるショルダーコードを縫着する必要がある。そのため、これらのファンデーション等の衣類を製造するには、ブラジャーの上縁部やパンティの裾口部等に、伸縮性を有するゴムテープ等を縫着した上に、ブラジャーやボディスーツ等の衣類の両肩の部分に、細い帯状の布片からなるショルダーコードを縫着する必要があり、縁取りテープ及びショルダーコード等の縫製工程が非常に煩雑であるとともに、湾曲した縁部に縫着される縁取りテープとショルダーコード等の接続部が不連続となり、接続部が不連続となると同時に凹凸を生み、人体に物理的刺激を与え、接触面に炎症や傷を負わせる原因ともなり、外観デザイン上も美感を低下させるという問題点があった。
【０００５】
そこで、この発明は、上記従来技術の問題点を解決するためになされたものであり、その目的とするところは、ファンデーション等の縁取りテープやショルダーコード等の縫製が容易であり、製造が容易に行えるとともに、着用感及び外観デザインも良好なファンデーション等の衣類を提供することにある。
【０００６】
【課題を解決するための手段】
上記の課題を解決するために、請求項１に記載の発明は、ファンデーション等の衣類において、袋状に形成されたテープ状部材１１の一部を、幅方向の中央部に設けられた分離部１３によって、長手方向に沿って所定の長さにわたり二股状に分離して、当該テープ状部材１１の一部に断面略Ｖ字形状に形成された二股部１４を設け、このテープ状部材１１の互いに分離された前記断面略Ｖ字形状の二股部１４によって、それぞれ衣類２、３の端縁を挟んだ状態で取り付けるように構成されている。
【０００７】
【発明の実施の形態】
以下に本発明を図示の実施の形態に基づいて説明する。
【０００８】
実施の形態１
図１はこの発明の参考例１をも包含する実施の形態１に係るファンデーション等の衣類としてのブラジャーを示すものである。
【０００９】
図１において、１はファンデーション等の衣類としてのブラジャーを示すものであり、このブラジャー１は、女性の左右のバストをそれぞれ覆う左右のカップ部２、３を有している。これら左右のカップ部２、３は、中央部で交差するように互いに縫着されているとともに、当該左右のカップ部２、３の両側には、女性の体の背面側で互いに係止される左右の側布４がそれぞれ縫着されている。これら左右の側布４の先端部には、フックやアイ等からなる図示しない係止具が、縫着等の手段によって取り付けられている。また、上記左右のカップ部２、３の三角形上に形成された上端部２ａ、３ａには、女性の肩に掛けるショルダーコード５、６がそれぞれ設けられている。
【００１０】
上記左右のカップ部２、３は、図２に示すように、一般的に表地８及び裏地７を構成し、カット＆ソーイングのもの及びモールド成形のものがあるが、これに限定するものではない。
【００１１】
ところで、この参考例１では、ファンデーション等の衣類において、平面状又は袋状のテープ状部材の一部をカットし、当該テープ状部材の一部に二股部を設け、このテープ状部材の互いに分岐された二股部を、それぞれ衣類の端縁に取り付けるように構成されている。
【００１２】
すなわち、この参考例１に係るブラジャー１は、図１に示すように、左右のカップ部２、３の上端縁の縁取りテープとしてのストレッチテープ１１、１２が、左右のカップ部２、３の上端部に接続されるショルダーコード５、６をも、一体的に兼ねるように構成されている。
【００１３】
上記ストレッチテープ１１、１２は、図３に示すように、二股状に編立又は織り上げられ、スパンデックス糸等の伸縮性を有する糸が挿入されて伸縮性を有する細い帯状の布片からなるものである。このストレッチテープ１１、１２は、その幅方向の中央部に分離部１３が、長手方向に沿って所定の長さＬ１に渡って設けられた二股状の部分１４と、所定の幅全体に渡ってテープ状に形成され、所定の長さＬ２に形成された合体部分１５とから、一体的に構成されている。上記ストレッチテープ１１、１２の分離部１３は、最初から二股状に編立又は織り上げたり、あるいは合体部分に対して、糸抜きをしたり、鋏やカッター等でカットすることによって形成される。なお、糸抜き等を施した分離部１３の端部には、ミシン縫や溶着、接着等の手段により、必要に応じてほつれを防止する手段が取られる。また、上記ストレッチテープ１１、１２の幅や二股部１４及び合体部１５の長さＬ１，Ｌ２、あるいは厚み等の寸法は、衣類製品の寸法やデザイン等によって適宜設定される。さらに、上記ストレッチテープ１１、１２は、図３に示すように、二股部１４と合体部１５を交互に有するものである必要はなく、二股部１４と合体部１５を１つずつ、即ち合体部１５の一端が二股状に分かれた二股部１４となっているものであっても勿論よい。また更に、上記ストレッチテープ１１、１２は、例えば、図４に示すように、平織等によって平面状に形成されるが、これに限定されるものではなく、図５に示すように、袋織等によって筒状に形成しても良い。なお、上記ストレッチテープ１１、１２を図５に示すように筒状に形成した場合には、二股部１４が略Ｖ字形状に形成される。
【００１４】
この参考例１では、図１に示すように、上記の如く構成される伸縮性を有する二股のストレッチテープ１１、１２を用いて、当該ストレッチテープ１１、１２の二股部１４を、左右のカップ部２、３の三角形上に形成された上端縁部２ａ、３ａに沿って、テープが上になるようにそれぞれミシン等によって縫着するように構成されている。なお、上記ストレッチテープ１１、１２をブラジャー等の衣類に取り付ける方法は、縫着に限るものではなく、接着剤を用いた接着、あるいは超音波や高周波等による接着あるいは溶着等でもよい。上記ストレッチテープ１１、１２の二股部１４の分岐部１４ａは、左右のカップ部２、３の上端に一致するように縫着されている。また、上記ストレッチテープ１１、１２の一方の二股部１４は、左右のカップ部２、３に沿って中央部まで縫着されているとともに、他方の二股部１４は、左右のカップ部２、３から側布４の上端縁に渡って背面側まで縫着されている。
【００１５】
また、上記ストレッチテープ１１、１２の合体部１５は、そのまま左右のカップ部の上端に設けられるショルダーコード５、６を構成するようになっている。さらに、上記ストレッチテープ１１、１２の背面側に設けられた二股部１４は、図１に示すように、対応する部分が三角形状に形成された側布４の上端縁４ａに、前面のカップ部２、３と同様に縫着されている。
【００１６】
また、上記ストレッチテープ１１、１２としては、所定の幅又は袋状に形成したものに限らず、図６に示すように、広幅の編地又は織地等の布地１６から、所定の幅に渡ってカット部１１ａ、１２ａで糸抜き又はカットを施して、１本ずつのストレッチテープ１１、１２に分離し、この１本ずつに分離されたテープを、図７に示すように、幅方向の中央部に糸抜き又はカット処理を施すことによって切り目を設けるとともに、折部１１ｂ、１２ｂによって幅方向に沿って両端部から内側に折畳むことにより、袋体に準ずるような形状としても良い。この場合には、図６に示すように、ストレッチテープ１１、１２の表側に位置する部分１１ｃ、１２ｃをサテン調に形成したり、裏側に位置する部分１１ｄ、１２ｄに綿糸を使用したり綿糸を混入するように構成してもよい。
【００１７】
さらに、上記ストレッチテープ１１、１２としては、上記の如く袋体に準ずるような形状とする場合に限らず、図８に示すように、広幅の編地又は織地等の布地から、所定のテープの幅に渡ってカット部１１ａ、１２ａで糸抜き又はカットを施して、１本ずつのストレッチテープ１１、１２に分離し、この１本ずつに分離されたテープ１１、１２を、図９に示すように、幅方向の中央部に糸抜き又はカット処理を施すことによって切り込み１３を設けるようにしても良い。この場合には、図８に示すように、リバーシブルタイプにしたり、裏面に綿糸を使用したり綿糸を混入するように構成してもよい。
【００１８】
なお、上記参考例１では、図１に示すように、ストレッチテープ１１、１２の二股部１４を、左右のカップ部２、３の上端縁において、その表面側に縫着するように構成したが、図１０に示すように、ストレッチテープ１１、１２の二股部１４を、左右のカップ部２、３の上端縁において、その裏面側に縫着するように構成しても良い。
ところで、実施の形態１では、ストレッチテープ１１、１２として、図５に示すように、袋織状のものを使用した場合には、図１１に示すように、当該ストレッチテープ１１、１２の二股部１４によって、左右のカップ部２、３の上端縁を挟んで縫着するように構成される。
【００１９】
また、上記二股状のストレッチテープ１１、１２としては、平織や平編等の平面構造であって、適宜に表面並びに裏面を構成（例えば、表面が朱子面で裏面がパイル面であったり、表面に光沢感を出すために光沢のある人絹糸を使用し、朱子織にしたり、裏面を肌当たりを良くするために、綿糸を挿入したり、パイル面にする等）したものを用いるようにしても良い。
【００２０】
さらに、上記二股状のストレッチテープ１１、１２の伸張率、伸張力は、使用する衣類によって適宜設計することができるが、部分的に伸びを完全に止める部分をデザインしても良い。例えば、ストレッチテープ１１、１２の合体部１５を伸縮性なく構成したり、逆に二股部１４を伸縮性なく構成しても良い。
【００２１】
以上の構成において、この実施の形態１に係るファンデーション等の衣類としてのブラジャーは、次のようにして、ファンデーション等の縁取りテープやストラッップ等の縫製が容易であり、製造が容易に行えるとともに、着用感及び外観デザインも良好となっている。
【００２２】
すなわち、この参考例１に係るブラジャーは、図１に示すように、左右のカップ部２、３の縁取りテープとしての伸縮性を有する二股のストレッチテープ１１、１２が、ショルダーコード５、６をも兼ねるように構成されているため、左右のカップ部２、３の上端縁にストレッチテープ１１、１２の二股部１４をそれぞれ縫着することによって、同時にショルダーコード５、６をも形成することができるため、左右のカップ部２、３の縁取りテープ及びショルダーコード５、６の縫製が容易であり、製造を容易に行うことができる。また、この実施の形態１に係るブラジャー１の場合には、左右のカップ部２、３の上端縁に縫着されるストレッチテープ１１、１２の合体部１５が、そのままショルダーコード５、６を形成するため、左右のカップ部２、３の縁取りテープとショルダーコード５、６との間に、段差が生じることがなく、着用感及び外観デザインも良好となっている。
【００２３】
参考例２
図１２はこの発明の参考例２を示すものであり、前記実施の形態１と同一の部分には同一の符号を付して説明すると、この参考例２では、伸縮性を有する二股状のストレッチテープが、ブラジャーの左右のカップ部の縁取りテープとショルダーコードを兼ねるのでなく、ブラジャーの左右のカップ部の縁取りテープと左右のカップ部を反対側のカップ部に係止するための係止部を兼ねるように構成されている。
【００２４】
すなわち、この参考例２に係るブラジャー１は、図１２に示すように、フロント部分２２、２３が左右に分離していて、これらの左右に分離したフロント部分２２、２３が交差した状態で互いに連結されるようになっており、後部は帯状のバック布２４によって左右から一体的に連結されている。
【００２５】
上記左右のフロント部２２、２３は、図１３に示すように、それぞれ女性の左右のバストを覆う左右のカップ部２、３と、当該左右のカップ部２、３の上側にそれぞれ縫着された上前側布２７、２８と、上記左右のカップ部２、３の下側にそれぞれ縫着された下辺連結布２９、３０とから構成されており、これら左右のカップ部２、３と、上前側布２７、２８と、下辺連結布２９、３０は、それらの外側の端部が、上述した帯状のバック布２４の端部である左右の側布２４ａ、２４ｂに、それぞれ側端縁３１、３２で縫着されている。また、上記左右のカップ部２、３は、例えば、女性のバストの乳頭を通る縦の直線で左右に２分割された左右のカップ布２ｂ、２ｃ及び３ｂ，３ｃを、互いに縫着することによって、女性のバストを立体的に覆うように構成されている。さらに、上記左右のカップ部２、３には、バスト基底部を安定させるため、合成樹脂や形状記憶合金等からなるボーン３３が、内側に挿入された状態で縫着されている。さらに、上記上前側布２７、２８の三角形状に形成された上端部には、ショルダーコード５、６が縫着されている。
【００２６】
また、この参考例２では、女性のバストをそれぞれ覆う左右のカップ部２、３のうち、右側のカップ部３を左側のカップ部２側に着脱自在に連結する連結部３４を、中央部よりも左側に設けるとともに、前記左側のカップ部２を右側のカップ部３側に着脱自在に連結する連結部３５を、中央部よりも右側に設けるように構成されている。
【００２７】
さらに、この参考例２では、伸縮性を有する二股状のストレッチテープ１１、１２が、ブラジャー１の左右のカップ部２、３の縁取りテープと左右のカップ部２、３を反対側のカップ部２、３に係止するための係止部を兼ねるように構成されている。
【００２８】
すなわち、この参考例２に係るブラジャー１では、図１２乃至図１４に示すように、左右のカップ部２、３の上前側布２７、２８の上端縁と、下辺連結布２９、３０の下端縁とが、ストレッチテープ１１、１２の二股部１４によってそれぞれ縫着されているとともに、当該ストレッチテープ１１、１２の先端部に短く形成された合体部１５が、他方のカップ部２、３側と互いに連結するための係止部を構成している。そして、上記ストレッチテープ１１、１２の先端に設けられた係止部１５には、他方のカップ部２、３のボタンやホック等の係止具３９と相対的に係止するボタンホールを形成する短い分離部３６が、所定の間隔で複数穿設されている。この短い分離部３６は、ボタンホール調の短い非合体部を構成することで、ストレッチテープ１１、１２の全長にわたるように、編立又は織ることにより一般的に形成される。また、上記右側のカップ部３のストレッチテープ１１、１２の合体部１５からなる係止部を左側のカップ部２側に着脱自在に連結する連結部３７が、中央部よりも左側に設けられているとともに、前記左側のカップ部２のストレッチテープ１１、１２の合体部１５からなる係止部を右側のカップ部３側に着脱自在に連結する連結部３８が、中央部よりも右側に設けられている。これらの連結部３７、３８には、前記左右のストレッチテープ１１、１２の係止部１５に形成されたボタンホール３６等と相対的に係合する、ボタン等からなる係止具３９が取り付けられている。
【００２９】
上記左右のカップ部２、３のストレッチテープ１１、１２の合体部１５からなる係止部には、図１２に示すように、複数のボタンホール３６が所定の間隔で穿設されており、いずれかのボタンホール３６を使用することにより、バストを引き寄せる機能及び材料となる布の素材のフィット性を調整することが可能となっている。
【００３０】
また、この参考例２では、図１２（ｂ）に示すように、左右のバック布２４の上下端縁をそれぞれ縁取るテープとしても、二股状のストレッチテープ１１、１２が使用されており、これらの左右のバック布２４を互いに係止する係止部を、当該ストレッチテープ１１、１２の合体部１５が構成するようになっている。
【００３１】
その他の構成及び作用は、前記参考例１と同様であるので、その説明を省略する。
【００３２】
参考例３
図１５はこの発明の参考例３を示すものであり、前記実施の形態１と同一の部分には同一の符号を付して説明すると、この参考例３では、実施の形態１と同様に、伸縮性を有する二股状のストレッチテープが、ブラジャーの左右のカップ部の縁取りテープとショルダーコードを兼ねているが、ストレッチテープの背面側をそのまま後部布に縫着するのではなく、当該ストレッチテープの背面側を長さを調整可能な状態で後部布に係止するように構成されている。
【００３３】
すなわち、この参考例３に係るブラジャー１は、図１５に示すように、左右のカップ部２、３の縁取りテープを兼ねるストレッチテープ１１、１２の背面側が、すべて二股に分岐しない合体部１５となっており、この合体部１５の先端が係止部を構成するようになっている。上記ストレッチテープ１１、１２の背面側の端部には、図１５（ｂ）に示すように、ブラジャー１の後部布２４に縫着されたボタン等の係止具３９と相対的に係合するボタンホール３６が、所定の間隔で複数個穿設されており、このストレッチテープ１１、１２の合体部１５に設けられたボタンホール３６を介して、ブラジャー１の後部布２４に長さを調整可能にボタン等の係止具３９に係止するように構成されている。なお、上記ショルダーコードを兼ねるストレッチテープ１１、１２は、図２２に示すように、ショルダー部を前後（前身頃と後身頃）に分離して交差する構成とし、ショルダー部の長さを調整可能としても良い。
【００３４】
その他の構成及び作用は、前記参考例１と同様であるので、その説明を省略する。
【００３５】
参考例４
図１６及び図１７はこの発明の参考例４を示すものであり、前記実施の形態１と同一の部分には同一の符号を付して説明すると、この参考例４では、実施の形態１と同様に、伸縮性を有する二股状のストレッチテープが、ブラジャーの左右のカップ部の縁取りテープとショルダーコードを兼ねているが、このストレッチテープが、単に左右のカップ部の縁取りだけではなく、デザイン的な機能をも向上させるように配置されている。
【００３６】
すなわち、この参考例４に係るブラジャー１は、図１６に示すように、左右のカップ部２、３の上端縁を縁取るストレッチテープ１１、１２の二股部１４が、略小さな波線を描くように形成された左右のカップ部を構成する布地の下側に位置するように縫着されており、ストレッチテープ１１、１２の二股部１４が目立つことがなく、デザイン的な機能を向上させるように構成されている。なお、上記ストレッチテープ１１、１２の二股部１４そのものに予めレース等を縫着し、デザイン性を高めるように構成しても良い。
【００３７】
また、この参考例４に係るブラジャー１では、図１７に示すように、左右のカップ部２、３の上端部分に略菱形状の空間部４０を設けたり、この空間部４０に伸縮性のある素材を配置することによって、ストレッチテープ１１、１２の二股部１４の伸縮性を利用し、バストの容積にフレキシブルに対応することができるとともに、斬新なデザイン等を創出することが可能となる。
【００３８】
その他の構成及び作用は、前記参考例１と同様であるので、その説明を省略する。
【００３９】
参考例５
図１８乃至図２１はこの発明の参考例５を示すものであり、前記実施の形態１と同一の部分には同一の符号を付して説明すると、この参考例５では、ファンデーション等の衣類として、ブラジャーではなく、ボディスーツ、ランジェリー、パンティ、あるいはウエストニッパー等の衣類に、ストレッチテープを適用するように構成されている。
【００４０】
すなわち、図１８は、ファンデーション等の衣類として、ボディスーツ５０にストレッチテープ１１、１２を適用したものであり、当該ストレッチテープ１１、１２は、ボディスーツ５０の左右のカップ部５１、５２の上端縁の縁取りテープ、及び大腿部の裾口部５３、５４の縁取りテーブと前身頃と後身頃の縫着部の補強テープを兼ねるように構成されている。
【００４１】
また、図１９は、ファンデーション等の衣類として、ランジェリー６０にストレッチテープ１１、１２を適用したものであり、当該ストレッチテープ１１、１２は、ランジェリー６０の左右のカップ部の上端縁の縁取りテープ、及び背面側の上端縁の縁取りテーブをも兼ねるように構成されている。
【００４２】
さらに、図２０は、ファンデーション等の衣類として、パンティ２０にストレッチテープ１１、１２を適用したものであり、当該ストレッチテープ１１、１２は、大腿部の裾口部７１、７２の縁取りテーブと前身頃７３と後身頃７４の縫着部７５の補強テープを兼ねるように構成されている。
【００４３】
また更に、図２１は、ファンデーション等の衣類として、チューブタイプのブラジャー２１にストレッチテープ１１を適用したものであり、当該ストレッチテープ１１は、全体的に無端の環状に形成されており、二股部１４が体の前面側の上下の縁取りテープを兼ねるように構成されている。
【００４４】
その他の構成及び作用は、前記実施の形態１と同様であるので、その説明を省略する。
【００４５】
【発明の効果】
以上説明したように、この発明によれば、ファンデーション等の縁取りテープやストラッップ等の縫製が容易であり、製造が容易に行えるとともに、着用感及び外観デザインも良好なファンデーション等の衣類を提供することができる。
【図面の簡単な説明】
【図１】  図１（ａ）はこの発明の参考例１をも包含する実施の形態１に係るファンデーション等の衣類としてのブラジャーを示す斜視図、同図（ｂ）は同図（ａ）のＡ−Ａ線断面図である。
【図２】  図２は左右のカップ部を示す断面図である。
【図３】  図３はストレッチテープを示す一部破断の平面図である。
【図４】  図４（ａ）はストレッチテープ（平面状のテープ）を示す斜視図、同図（ｂ）は断面図である。
【図５】  図５（ａ）はストレッチテープ（袋状のテープ）を示す斜視図、同図（ｂ）は断面図である。
【図６】  図６はストレッチテープを示す一部破断の平面図である。
【図７】  図７はストレッチテープを示す斜視図である。
【図８】  図８はストレッチテープを示す平面図である。
【図９】  図９はストレッチテープを示す平面図である。
【図１０】  図１０（ａ）はこの発明の参考例１に係るファンデーション等の衣類としてのブラジャーの変形例を示す斜視図、同図（ｂ）は同図（ａ）のＡ−Ａ線断面図である。
【図１１】  図１１（ａ）はこの発明の参考例２に係るファンデーション等の衣類としてのブラジャーの変形例を示す斜視図、同図（ｂ）は同図（ａ）のＡ−Ａ線断面図である。
【図１２】  図１２（ａ）はこの発明の参考例２に係るファンデーション等の衣類としてのブラジャーを示す斜視図、同図（ｂ）は同部分背面図である。
【図１３】  図１３はこの発明の参考例２に係るファンデーション等の衣類としてのブラジャーを示す斜視図である。
【図１４】  図１４はこの発明の参考例２に係るファンデーション等の衣類としてのブラジャーを示す一部破断の斜視図である。
【図１５】  図１５（ａ）はこの発明の参考例３に係るファンデーション等の衣類としてのブラジャーを示す斜視図、同図（ｂ）は同部分背面図である。
【図１６】  図１６はこの発明の参考例４に係るファンデーション等の衣類としてのブラジャーを示す斜視図である。
【図１７】  図１７はこの発明の参考例４に係るファンデーション等の衣類としてのブラジャーの変形例を示す部分斜視図である。
【図１８】  図１８はこの発明の参考例５に係るファンデーション等の衣類としてのボディスーツを示す斜視図である。
【図１９】  図１９はこの発明の参考例５に係るファンデーション等の衣類としてのランジェリーを示す斜視図である。
【図２０】  図２０はこの発明の参考例５に係るファンデーション等の衣類としてのパンティを示す斜視図である。
【図２１】  図２１はこの発明の参考例５に係るファンデーション等の衣類としてのチューブタイプのブラジャーを示す斜視図である。
【図２２】  図２２はストレッチテープの他の使用状態を示す部分斜視図である。
【符号の説明】
１：ブラジャー、２、３：左右のカップ部、５、６：ショルダーコード、１１、１２：ストレッチテープ、１３：分離部、１４：二股部、１５：合体部。
【図１】
0003961674.tif 000002
【図２】
0003961674.tif 000003
【図３】
0003961674.tif 000004
【図４】
0003961674.tif 000005
【図５】
0003961674.tif 000006
【図６】
0003961674.tif 000007
【図７】
0003961674.tif 000008
【図８】
0003961674.tif 000009
【図９】
0003961674.tif 000010
【図１０】
0003961674.tif 000011
【図１１】
0003961674.tif 000012
【図１２】
0003961674.tif 000013
【図１３】
0003961674.tif 000014
【図１４】
0003961674.tif 000015
【図１５】
0003961674.tif 000016
【図１６】
0003961674.tif 000017
【図１７】
0003961674.tif 000018
【図１８】
0003961674.tif 000019
【図１９】
0003961674.tif 000020
【図２０】
0003961674.tif 000021
【図２１】
0003961674.tif 000022
【図２２】
0003961674.tif 000023